(57)【特許請求の範囲】
【請求項１】
コネクタの端子部を外部に露出し、かつそのコネクタに接続する配線部材を引き出した形で、そのコネクタを内部に収容するコネクタカバーであって、
上側カバーと、前記コネクタを係合固定するカバー側係合部とそのコネクタから引き出される配線部材を配置する配線配置部とを有した下側カバーと、が係合固定される形で構成されるとともに、
前記下側カバーに対して、前記コネクタを前記カバー側係合部に係合固定させ、かつそのコネクタから引き出される配線部材のコネクタ側端部を前記配線配置部に配置した形で、前記上側カバーを係合固定可能であり、当該係合固定によって内部に前記コネクタと前記配線部材のコネクタ側端部との双方が収容可能であり、
前記上側カバー及び前記下側カバーは、互いが係合固定した状態において、前記コネクタを収容するコネクタ収容部を形成し、前記コネクタ収容部は、収容した前記コネクタの端子部を露出させる第一開口部を有しており、前記コネクタは、前記下側カバーに対し前記第一開口部から前記配線配置部側にスライドさせてカバー側係合部に係合されることで、前記下側カバーに対し前記第一開口部側へ抜け止めされた係合固定状態となり、
前記上側カバーは、前記コネクタの両側面を外側から覆う両側面部を有し、前記上側カバーの両側面部のいずれか又は双方の内側には、前記コネクタが前記下側カバーのカバー側係合部に係合固定して収容され、かつ前記上側カバー及び前記下側カバーが係合した状態において、収容された前記コネクタの前記第一開口部からの抜けを阻止する抜け止め部が形成されていることを特徴とするコネクタカバー。
【請求項２】
前記コネクタは、自身の端子部に接続された接続相手を抜け止め状態とする抜け止め係合部と、その抜け止め状態を解除する解除操作部と、を有し、
前記上側カバーは、前記下側カバーに係合固定した状態において、前記解除操作部を外部に露出させる解除操作用開口部を有する請求項１に記載のコネクタカバー。
【請求項３】
前記抜け止め部は、前記上側カバーの両側面部のいずれか又は双方から内向きに突出する係合凸部として形成される一方で、対応する前記コネクタの側面には係合凹部が形成され、前記上側カバーを上方から下方に向かって前記下側カバーに接近させて組み付けることで、前記上側カバーの係合凸部が前記コネクタの係合凹部に対し上方からその内側に進入するように構成されている請求項１又は２に記載のコネクタカバー。
【請求項４】
前記コネクタの両側面及び前記上側カバーの両側面部は、それぞれ前記第一開口部側から前記配線配置部側に向けて前記両側面間及び前記両側面部間の対向幅が広がる幅拡大部を有し、前記上側カバーの幅拡大部は、前記コネクタの幅拡大部に当接することにより、収容された前記コネクタの前記第一開口部からの抜けを阻止する第二の抜け止め部として機能する請求項３に記載のコネクタカバー。
【発明の詳細な説明】
【技術分野】
【０００１】
本発明は、コネクタを保護するコネクタカバーに関する。
【背景技術】
【０００２】
車両等においては、コネクタを保護する保護部品として、コネクタの端子部を外部に露出し、かつそのコネクタに接続する配線部材を引き出した形で、そのコネクタを内部に収容するコネクタカバーがある（特許文献１）。
【先行技術文献】
【特許文献】
【０００３】
【特許文献１】特開２０１３−１４５７０８号公報
【発明の概要】
【発明が解決しようとする課題】
【０００４】
こうしたコネクタカバーには、コネクタの上側を覆う上側カバーと下側を覆う下側カバーを組み付ける形で構成するものがある。この場合、下側カバーにコネクタを配置し、位置ずれしないよう指で押さえつけた上で、その下側カバーに上側カバーを組み付けなければならないため、作業性が悪い。また、コネクタを指で押さえることはできるが、配線部材までは押さえつけられないため、上側カバーと下側カバーの組み付け時に配線部材を噛み込んでしまう恐れもある。
【０００５】
本発明の課題は、コネクタ組み付け時の作業性を改善し、かつその際の配線部材の噛み込みも防止できるコネクタカバーを提供することにある。
【課題を解決するための手段及び発明の効果】
【０００６】
上記課題を解決するために、本発明のコネクタカバーは、
コネクタの端子部を外部に露出し、かつそのコネクタに接続する配線部材を引き出した形で、そのコネクタを内部に収容するコネクタカバーであって、
上側カバーと、前記コネクタを係合固定するカバー側係合部とそのコネクタから引き出される配線部材を配置する配線配置部とを有した下側カバーと、が係合固定される形で構成されるとともに、
前記下側カバーに対して、前記コネクタを前記カバー側係合部に係合固定させ、かつそのコネクタから引き出される配線部材のコネクタ側端部を前記配線配置部に配置した形で、前記上側カバーを係合固定可能であり、当該係合固定によって内部に前記コネクタと前記配線部材のコネクタ側端部との双方を収容可能な構成であることを前提とする。
【０００７】
上記本発明の前提構成によれば、下側カバーにコネクタを仮固定した上で、その下側カバーに上側カバーを組み付けることができるから、コネクタを指で押し付ける煩わしい作業が無くなる。また、従来までコネクタを押し付けていた指を、配線部材がズレないよう配線部材を押し付けるために使うこともできるため、下側カバーに上側カバーを組み付ける際の配線部材の噛み込みを防ぐこともできる。さらに、下側カバーには、コネクタを仮固定したときに、そのコネクタから引き出される配線部材を、例えば凹状の配線配置部に収容しておくことで位置決めされ、上側カバーを組み付ける際の配線部材の噛み込みを防止することができる。また、コネクタと配線部材との接続箇所は、外部からの衝撃に比較的弱い箇所であるが、本発明によればこの箇所を保護できる利点もある。
【０００８】
そして、上記本発明において、前記上側カバー及び前記下側カバーのいずれかまたは双方は、それら上側カバー及び下側カバーが係合固定され、かつ前記コネクタを前記カバー側係合部に係合固定して収容した状態において、収容したコネクタの端子部を外部に露出させる開口部（後述の第一開口部）からの抜けを阻止する抜け止め部を有する。この構成によれば、カバー側係合部と抜け止め部とにより、収容したコネクタに対する二重の脱落防止状態を形成できる。さらにいえば、上側カバーと下側カバーとが係合固定してケース内部にコネクタが収容された状態で、仮に、下側カバーにコネクタを仮固定している部位が破損したとしても、この抜け止め部が存在することにより、ケース内部のコネクタがコネクタカバーから脱落してしまうことを防ぐことができる。
【０００９】
また、上記本発明のコネクタカバーには、上側カバーと下側カバーとが係合固定した状態において、収容したコネクタの端子部を外部に露出させる第一開口部が形成される。この構成において、下側カバーのカバー側係合部に対するコネクタの組み付けは、下側カバーに対しコネクタをこの第一開口部側からカバー内部側へと接近させ、それとは逆向きに抜け止めされる形で係合固定される。つまり、この構成における下側カバーのカバー側係合部は、カバー内部側から第一開口部側への抜けを阻止するものである。この場合、上述の抜け止め固定部もカバー内部側から第一開口部側への抜けを阻止するものであるから、上述のようなカバー側係合部の破損があってもコネクタの脱落を確実に防ぐことができる。
【００１０】
また、上記本発明において、上側カバー及び下側カバーは、互いが係合固定した状態において、コネクタを収容するコネクタ収容部と、配線部材のコネクタ側端部を収容する配線収容部と、を形成し、コネクタ収容部に上記の第一開口部を有する。この場合、コネクタは、第一開口部から配線配置部側にスライドさせてカバー側係合部に係合される。下側カバーとコネクタの組み付け方向と、下側カバーと上側カバーの組み付け方向が異なるため、コネクタが固定された下側カバーに上側カバーを組み付けるときに、コネクタがずれにくい。
【図面の簡単な説明】
【００１１】
【図１】本発明の第一実施例であるコネクタカバーにコネクタを収容した状態を示す斜視図。
【図２】図１の分解斜視図。
【図３Ａ】図１のコネクタカバーを構成する上側カバーの第一の斜視図。
【図３Ｂ】図１のコネクタカバーを構成する上側カバーの第二の斜視図。
【図４Ａ】図１のコネクタカバーを構成する下側カバーの第一の斜視図。
【図４Ｂ】図１のコネクタカバーを構成する下側カバーの第二の斜視図。
【図５Ａ】図１のコネクタカバーの第一の斜視図。
【図５Ｂ】図１のコネクタカバーの第二の斜視図。
【図６Ａ】図１のコネクタの第一の斜視図。
【図６Ｂ】図１のコネクタの第二の斜視図。
【図７】図１のコネクタの接続相手を示す斜視図。
【図８Ａ】図１のコネクタカバー内のコネクタに接続相手を接続した状態を示す斜視図。
【図８Ｂ】図８Ａのコネクタカバーを厚さ方向（上下方向）中央で切断した断面図。
【図９Ａ】図１の下側カバーにコネクタを固定する手順を、コネクタカバーの幅方向（左右方向）の中央で切断した断面で示した第一の図。
【図９Ｂ】図９Ａに続く図。
【図１０】図１のコネクタカバーのコネクタ収容部を切断した断面を示す斜視図。
【図１１】図１のコネクタカバーをその幅方向（左右方向）の中央で切断した断面を示す斜視図。
【図１２Ａ】図１のコネクタに接続相手を接続する手順を、コネクタカバーの幅方向（左右方向）の中央で切断した断面で示した第一の図。
【図１２Ｂ】図１２Ａに続く図。
【図１３】本発明の第二実施例であるコネクタカバーにコネクタを収容した状態を示す斜視図。
【図１４】図１３の分解斜視図。
【図１５Ａ】図１３のコネクタカバーを構成する上側カバーの第一の斜視図。
【図１５Ｂ】図１３のコネクタカバーを構成する上側カバーの第二の斜視図。
【図１６Ａ】図１３のコネクタカバーを構成する下側カバーの第一の斜視図。
【図１６Ｂ】図１３のコネクタカバーを構成する下側カバーの第二の斜視図。
【図１７Ａ】図１３のコネクタカバーの第一の斜視図。
【図１７Ｂ】図１３のコネクタカバーの第二の斜視図。
【図１８Ａ】図１３のコネクタカバー内のコネクタに接続相手を接続した状態を示す斜視図。
【図１８Ｂ】図１８Ａのコネクタカバーを厚さ方向（上下方向）中央で切断した断面図。
【発明を実施するための形態】
【００１２】
以下、本発明の一実施例を説明する。
【００１３】
本実施例のコネクタカバー１は、図１及び図２に示すように、コネクタ５を内部に収容するものであり、収容したコネクタ５の端子部５９を外部に露出させる第一開口部１Ａと、収容したコネクタ５に接続する配線部材６（図８Ｂ参照）が引き出される第二開口部１Ｂと、を有する。さらに、本実施例のコネクタカバー１は、上側カバー２と下側カバー３とが係合固定される形で構成され、その内部に、コネクタ５とそのコネクタ５から引き出される配線部材６のコネクタ側端部６Ａ（図８Ｂ参照）とが共に収容される。つまり、コネクタカバー１は、コネクタ５だけでなく、配線部材６の根本部分６Ａも収容して保護するものである。したがって、本実施例の上側カバー２及び下側カバー３は、互いが係合固定した状態において、図１１に示すように、コネクタ５を収容するコネクタ収容部１１と、配線部材６の根本をなすコネクタ側端部６Ａを収容する配線収容部１２と、を形成している。コネクタ収容部１１は第一開口部１Ａを有し、他方、配線収容部１２は第二開口部１Ｂを有しており、コネクタカバー１は、それらの開口部１Ａ，１Ｂを有した筒状をなしている。
【００１４】
なお、配線部材６は１以上のものとすることができる。ここではコネクタ５に接続する複数のワイヤーハーネスとしている。
【００１５】
また、上側カバー２及び下側カバー３は、図８Ｂに示すように、互いが係合固定した状態において、第二開口部１Ｂ側の端部に、配線部材６を内部に貫通配置させる筒状部材７を抜け止め状態で配置する筒状部材配置部１４を有する。
【００１６】
なお、本実施例の筒状部材７は、図８Ａに示すように、その軸線方向に向かって外周表面に環状の凹凸が繰り返し形成されるチューブ体、いわゆるコルゲートチューブである。他方、筒状部材配置部１４には、その凹凸と嵌合する凹凸嵌合部が内周表面に形成される。コルゲートチューブ７は、図８Ｂに示すように、自身の凹凸を筒状部材配置部１４の凹凸嵌合部に嵌め込む形で配置される。これにより、コネクタカバー１の軸線方向１Ｘにおける第二開口部１Ｂ側及び第一開口部１Ａ側（カバー内部側）への位置ずれと、第二開口部１Ｂ側からの抜けとを阻止している。
【００１７】
上側カバー２は、図３Ａ及び図３Ｂに示すように、コネクタ収容部１１側（第一開口部１Ａ側）において、内部に収容されるコネクタ５の上側に位置する上面部２０Ａと、収容されたコネクタ５を左右方向外側から挟む左側面部２１Ｌ及び右側面部２１Ｒと、を有する。上面部２０Ａは、第一開口部１Ａ側に偏って形成され、左側面部２１Ｌ及び右側面部２１Ｒをそれらの上端で連結する。上面部２０Ａの配線収容部１２側（軸線方向１Ｘにおける第二開口部１Ｂ側）は、解除操作用開口部２７として上方及び配線収容部１２側に開放されており、図１に示すように、収容されるコネクタ５に設けられた操作部５００を露出させて操作可能にする。また、上側カバー２は、配線収容部１２側において、収容される配線部材６の上側に位置する上面部２０Ｂと、収容された配線部材６を左右方向の外側から挟む左側面部２３Ｌ及び右側面部２３Ｒと、を有する。
【００１８】
下側カバー３は、図４Ａ及び図４Ｂに示すように、コネクタ収容部１１側（第一開口部１Ａ側）において、収容されたコネクタ５の下側に位置する下面部３０Ａと、収容されたコネクタ５を左右方向の外側から挟む左側面部３１Ｌ及び右側面部３１Ｒと、を有する。また、下側カバー３は、配線収容部１２側（第二開口部１Ｂ側）において、収容される配線部材６の下側に位置する下面部３０Ｂと、収容された配線部材６を左右方向の外側から挟む左側面部３３Ｌ及び右側面部３３Ｒと、を有する。これら下面部３０Ｂと、左側面部３３Ｌ及び右側面部３３Ｒとにより、上側カバー２を組み付ける際に配線部材６のコネクタ側端部６Ａが配置・収容される凹状の配線配置部３０Ｃが構成される。
【００１９】
また、下側カバー３は、図４Ｂに示すように、コネクタ５を係合固定するカバー側係合部３５を有する。他方、コネクタ５は、図６Ｂに示すように、カバー側係合部３５と係合固定するコネクタ側係合部５５を有する。これらにより、下側カバー３に対し、コネクタ５を仮固定した状態で、上側カバー２を組み付けることができるので、作業性を向上できる。従来の場合、一方の手でコネクタ５を下側カバー３上の所定位置に保持しながら、もう一方の手で上側カバー２を組み付ける必要があったが、本実施例によればその作業性は大幅に改善される。
【００２０】
ここで、本実施例における下側カバー３とコネクタ５との係合固定について説明する。
【００２１】
コネクタ側係合部５５は、図６Ａに示すように、コネクタ５を下側カバー３に対し第一開口部１Ａ側からカバー内部側へと移動させる形で、下側カバー３のカバー側係合部３５に係合固定される。本実施例のコネクタ５は、第一開口部１Ａから配線配置部１２側にスライドさせて下側カバー３のカバー側係合部３５に係合される。
【００２２】
ここでの下側カバー３のカバー側係合部３５及びコネクタ５のコネクタ側係合部５５は、一方が他方に向かって突出する突出係合部として形成され、他方がその突出係合部を受け入れて係合する受け入れ係合部として形成される。具体的にいえば、図４Ａに示すように、下側カバー３のカバー側係合部３５は、第一開口部１Ａ側に向かってカバー内部から突出する突出係合部３５であり、他方、コネクタ５のコネクタ側係合部５５は、図６Ｂに示すように、その突出係合部３５をその突出先端側から進入させることにより係合する受け入れ係合部５５である。
【００２３】
ここでのコネクタ５のコネクタ側係合部５５は、図９Ａに示すように、コネクタ５の本体部５０に対し下側で対向し、第一開口部１Ａ側からカバー内部側へと突出し、その突出先端側が弾性変形によって揺動可能な弾性部５３を有して構成される受け入れ係合部５５である。弾性部５３は、第一開口部１Ａ側にて本体部５０に対し連結しており、その連結部５４（図６Ｂ参照）を起点にして突出先端側が上下に揺動可能である。また、弾性部５３は、その突出先端側にその突出方向に直交する方向（ここでは上向き）に突出する係止爪部５３Ｔを有する。コネクタ５を下側カバー３に係合固定させる際、コネクタ５は、下側カバー３の突出係合部３５を本体部５０と弾性部５３との間に受け入れるようにして、下側カバー３接近する。このとき、弾性部５３の先端の係止爪部５３Ｔが、下側カバー３の突出係合部３５の先端部（係止部）３５Ｓに対し、第一開口部１Ａ側からカバー内部側（第二開口部１Ｂ側）に向かって当接する。このとき、さらに接近させる力を付与することにより、弾性部５３は、上記弾性変形を伴う形で揺動して先端部３５Ｓを乗り越える。そして、弾性部５３は、乗り越えて進入した先で係止爪部５３Ｔを爪収容部３５Ｕに進入させる形で弾性復帰する。これにより、係止爪部５３Ｔは、乗り越えた先端部３５Ｓに対しカバー内部側から当接して係止され、コネクタ５は、下側カバー３に対し第一開口部１Ａ側へ抜け止めされた係合固定状態となる。
【００２４】
このようにしてカバー側係合部３５にコネクタ５が係合固定された下側カバー３は、図９Ｂに示すように、この抜け止め状態（係合固定状態）において、そのコネクタ５から引き出される配線部材６のコネクタ側端部６Ａを凹状の配線配置部３０Ｃ（３０Ｂ，３３Ｌ，３３Ｒ）内に配置・収容し、その状態で上側カバー２を係合固定することができる（図１１参照）。この係合固定により、コネクタ５とそのコネクタ５から引き出される配線部材６のコネクタ側端部６Ａとが共にコネクタカバー１の内部に収容される。
【００２５】
上側カバー２と下側カバー３との組み付けは、それぞれの組み付け係合部２２，３２を係合させる係合固定によりなされる（図１及び図１０参照）。
【００２６】
本実施例において、下側カバー３の組み付け係合部３２は、図４Ａ及び図４Ｂに示すように、下側カバー３の左側面部３１Ｌ，３３Ｌ及び右側面部３１Ｒ，３３Ｒの上端側にて、左右方向の外向きに突出する突出係合部３２である。他方、上側カバー２の組み付け係合部２２は、図３Ａ及び図３Ｂに示すように、上側カバー２の左側面部２１Ｌ，２３Ｌ及び右側面部２１Ｒ，２３Ｒから外向きに突出してその突出先端側が下方に延出した外側下方延出部２２として形成され、上記突出係合部３２を受け入れて係合する受け入れ係合部２２である。
【００２７】
具体的にいえば、下側カバー３の突出係合部３２は、左側面部３１Ｌ，３３Ｌ及び右側面部３１Ｒ，３３Ｒの上端から外向きに突出する係止爪部３２である。他方、上側カバー２の受け入れ係合部２２は、その下端側が弾性変形によって外向きに揺動可能な弾性部２２である。弾性部２２は、上側カバー２を上方から下方に向かって下側カバー３に接近させて組み付ける際に、下側カバー３の係止爪部３２を下方から受け入れることになるが、その係止爪部３２に対し自身２２の先端部（係止部）２２Ｓが下方から当接する。このとき、上側カバー２にさらに下方への力を付与することにより、弾性部２２は、弾性変形を伴う形で外向きに揺動して先端部２２Ｓが係止爪部３２を乗り越える。そして、弾性部２２は、係止爪部３２を乗り越えて進入した先で、該係止爪部３２を爪収容部２２Ｕ（図５Ａ及び図５Ｂ参照）に進入させる形で弾性復帰する。これにより、乗り越えた先端部２２Ｓは、係止爪部３２に対し下方から上方に向かって当接して係止され、上側カバー２は、下側カバー３に対し上方へ抜け止めされた係合固定状態となる。
【００２８】
ところで、上側カバー２及び下側カバー３のいずれか又は双方は、互いが係合固定され、かつコネクタ５を係合固定して収容した状態において、収容したコネクタ５の第一開口部１Ａからの抜けを阻止する抜け止め部２１Ｔ，２０１Ｃを有する。
【００２９】
なお、本実施例の抜け止め部２１Ｔ，２０１Ｃは、図５Ａ及び図５Ｂに示すように、上側カバー２にのみ形成される。したがって、抜け止め部２１Ｔ，２０１Ｃは、コネクタ５が係合固定した下側カバー３に対し上側カバー２が組み付けられることではじめて、その役割を果たす。
【００３０】
第一の抜け止め部２１Ｔについて説明する。
【００３１】
本実施例の上側カバー２は、第一開口部１Ａを正面視したときに、その左右方向の両側からそれぞれが下方に延出してコネクタ５の左右両側面を外側から覆う左側面部２１Ｌ及び右側面部２１Ｒを有する。それら左側面部２１Ｌ及び右側面部２１Ｒのいずれかまたは双方には、図３Ａに示すように、抜け止め部２１Ｔとして、内向きに突出する係合凸部２１Ｔが形成される。本実施例においては、上側カバー２の左側面部２１Ｌ及び右側面部２１Ｒの一方（ここでは左側面部２１Ｌ）にのみ係合凸部２１Ｔが形成される。他方、図６Ａに示すように、コネクタ５には、左右両側面のうちの対応する側の側面に係合凹部５１Ｕが形成される。上側カバー２を上方から下方に向かって下側カバー３に接近させて組み付ける際、上側カバー２の係合凸部２１Ｔは、コネクタ５の係合凹部５１Ｕに対し上方からその内側に進入する。これにより、係合凸部２１Ｔは、図８Ｂに示すように、係合凹部５１Ｕに対し、軸線方向１Ｘにおける第一開口部１Ａ側と第二開口部１Ｂ側（カバー内部側）との双方にて対向するため、コネクタ５は、上側カバー２に対し第一開口部１Ａ側とカバー内部側との双方に抜け止めされた抜け止め状態となる。このようにして、係合凸部２１Ｔは、抜け止め部２１Ｔとして機能する。
【００３２】
この抜け止め部２１Ｔによるコネクタ５の抜け止め状態が存在することにより、コネクタ５は、下側カバー３のカバー側係合部３５との係合状態の有無とは無関係に、第一開口部１Ａ側への抜け止め状態となる。つまり、仮に下側カバー３のカバー側係合部３５とコネクタ５のコネクタ側係合部５５とのいずれかが破損して、それらによる係合状態が維持されなくなったとしても、コネクタ５が第一開口部１Ａから脱落することはない。
【００３３】
本実施例の係合凸部２１Ｔは、上下方向に延出する突条部（リブ）２１Ｔとして形成されている。さらにいえば、ここでの係合凸部２１Ｔ，２１Ｔは、上下方向に延出する形で軸線方向１Ｘに併設された対をなす突条部２１Ｔ，２１Ｔとして形成されている。また、本実施例の係合凹部５１Ｕは、対をなす係合凸部２１Ｔ，２１Ｔを収容する１つの収容凹部５１Ｕとして形成されており、係合凸部２１Ｔ，２１Ｔを、軸線方向１Ｘにおける第一開口部１Ａ側とカバー内部側（第二開口部１Ｂ側）との双方で対向し、それら双方への移動を規制している。
【００３４】
なお、本実施例の左側面部３１Ｌ及び右側面部３１Ｒは、図４Ａに示すように、下面部３０Ａの左右両端からそれぞれが上方に延出して、上側カバー２の左側面部２１Ｌ及び右側面部２１Ｒの先端部２１Ａを左右方向の外側を覆う形で上方から収容する左側収容部３１Ｌ及び右側収容部３１Ｒとして形成される。上側カバー２を、コネクタ５が係合固定された下側カバー３に組み付ける際、下側カバー３の左側面部３１Ｌ及び右側面部３１Ｒは、上側カバー２の左側面部２１Ｌ及び右側面部２１Ｒの先端部２１Ａを収容する収容部として機能する（図３Ａ及び図３Ｂ参照）。このとき、下側カバー３の左側面部３１Ｌ及び右側面部３１Ｒは、収容した上側カバー２の左側面部２１Ｌ及び右側面部２１Ｒの先端部２１Ａに対し、軸線方向１Ｘにおける第一開口部１Ａ側で対向して位置する移動規制壁部３１Ｌ１，３１Ｒ１と第二開口部１Ｂ側（カバー内部側）で対向して位置する移動規制壁部３１Ｌ２，３１Ｒ２と挟んでおり、それら双方の側への移動を規制している。つまり、上側カバー２と下側カバー３との係合組み付けと同時に、上側カバー２と下側カバー３とは互いに位置決め状態となる。
【００３５】
第二の抜け止め部２０１Ｃについて説明する。
【００３６】
その前にまずはコネクタ５について詳説する。図６Ａ及び図６Ｂに示すように、コネクタ５は、端子部５９に接続された接続相手９を抜け止め状態で固定する抜け止め係合部５８と、その抜け止め状態を解除する解除操作部５７と、を有する。上側カバー２は、下側カバー３に係合固定した状態において、解除操作部５７を解除操作用開口部２７から外部に露出させているため、ユーザーによる操作が可能とされている。
【００３７】
本実施例のコネクタ５は、図６Ａに示すように、解除操作部５７と、抜け止め係合部５８と、を有した揺動操作部５００を備える。本実施例の揺動操作部５００は、軸線方向１Ｘにおける第一開口部１Ａ側に抜け止め係合部５８が設けられ、第二開口部１Ｂ側に解除操作部５７が設けられ、それらの間に設けられる揺動起点部５６を有する。コネクタ５は、ユーザーによって解除操作部５７を下方へ押す押下操作がなされると、揺動起点部５６を起点にして抜け止め係合部５８が上方に持ち上がり、接続相手９との抜け止め固定状態が解除される。なお、揺動起点部５６は、揺動操作部５００を左右方向の両側から空隙を介して挟む上端左側壁部５０１Ｌ及び上端右側壁部５０１Ｒに連結している。
【００３８】
コネクタ５の接続相手９の端子部９９は、図７に示すように、コネクタ５の凹状の端子部５９に対し圧入される形で接続状態となる。また、コネクタ５の接続相手９は、上面側において上方に突出する係止爪部９８Ｔを有する。コネクタ５の揺動操作部５００は、軸線方向１Ｘにおける第一開口部１Ａ側の抜け止め係合部５８と、第二開口部１Ｂ側の解除操作部５７とが、それらの間の揺動起点部５６を起点にして弾性変形することにより、上下方向に揺動可能である。係合固定状態の上側カバー２と下側カバー３とに収容されたコネクタ５の端子部５９に対し接続相手９の端子部９９が第一開口部１Ａから接続される際（図１２Ａ参照）に、揺動操作部５００は、抜け止め係合部５８の先端部（係止部）５８Ｓに対し第一開口部１Ａ側から係止爪部９８Ｔが当接する。ところが、さらに奥行き方向の奥側（カバー内部側）に係止爪部９８Ｔを進入させる力を接続相手９に付与することにより、揺動操作部５００は、弾性変形を伴う形で抜け止め係合部５８側が上方に揺動して、先端部５８Ｓを乗り越える。そして、揺動操作部５００は、乗り越えて進入した先で自身の爪収容部５８Ｕに係止爪部９８Ｔが進入する形で弾性復帰する。これにより、弾性復帰した揺動操作部５００は、先端部５８Ｓに対し係止爪部９８Ｔがカバー内部側とは逆の第一開口部１Ａ側から当接して係止され、接続相手９は、コネクタ５に対し第一開口部１Ａ側へ抜け止めされた係合固定状態となる（図１２Ｂ参照）。
【００３９】
コネクタ５の揺動操作部５００は、図６Ａに示すように、抜け止め係合部５８側が解除操作部５７側よりも左右方向において狭幅となる形状を有する。また、コネクタ５は、揺動操作部５００を左右方向の両側から空隙を介して挟む上端左側壁部５０１Ｌ及び上端右側壁部５０１Ｒを有する。上端左側壁部５０１Ｌ及び上端右側壁部５０１Ｒは、揺動操作部５００と同様、抜け止め係合部５８側が解除操作部５７側よりも狭幅で対向する形状をなす。他方、上側カバー２は、図５Ａに示すように、左右方向の両側からそれぞれが下方に延出してコネクタ５の左右両側面を覆う左側面部２１Ｌ及び右側面部２１Ｒを有する。左側面部２１Ｌ及び右側面部２１Ｒは、コネクタ５の上端左側壁部５０１Ｌ及び上端右側壁部５０１Ｒと同様、抜け止め係合部５８が解除操作部５７側よりも狭幅な形状をなす。そして、上側カバー２の左側面部２１Ｌ及び右側面部２１Ｒと、コネクタ５の上端左側壁部５０１Ｌ及び上端右側壁部５０１Ｒとは、それぞれにおける抜け止め係合部５８側から解除操作部５７側にかけて左右方向の対向幅が広がる幅拡大部２０１Ｃ，２０１Ｃ，５０１Ｃ，５０１Ｃを有しており、それらが軸線方向１Ｘにおいて互いに当接する。その当接により、上側カバー２は、コネクタ５の第一開口部１Ａからの抜けを阻止している。このように、上側カバー２の幅拡大部２０１Ｃは、コネクタ５の幅拡大部５０１Ｃに当接することにより、第二の抜け止め部２０１Ｃとして機能する。
【００４０】
なお、上側カバー２の上面部２０Ａと、左側面部２１Ｌ及び右側面部２１Ｒとは、幅拡大部２０１Ｃ，２０１Ｃから解除操作部５７側にかけて解除操作用開口部２７を形成する。解除操作用開口部２７を形成する左側面部２１Ｌ及び右側面部２１Ｒは、幅拡大部２０１Ｃ，２０１Ｃよりも解除操作部５７側の区間において、下方に下る傾斜側面部をなす。これにより、解除操作用開口部２７は、ユーザーが解除操作部５７を押した指の下方への移動を、左側面部２１Ｌ及び右側面部２１Ｒが妨げることがない。
【００４１】
また、上側カバー２の左側面部２１Ｌ及び右側面部２１Ｒは、図１０に示すように、コネクタ５の本体部５０を左右方向両側から挟む左側面主部２１Ｌ１及び右側面主部２１Ｒ１と、当該本体部５０の上側に位置し、抜け止め係合部５８を左右方向両側から挟む左側面上部２１Ｌ２及び右側面上部２１Ｒ２と、左側面主部２１Ｌ１及び右側面主部２１Ｒ１から左側面上部２１Ｌ２及び右側面上部２１Ｒ２にかけて上側ほど左右方向の幅が狭くなる左側面上部２１ＬＣ及び右側面上部２１ＲＣと、を有する。このように幅縮小部をなす左側面上部２１ＬＣ及び右側面上部２１ＲＣは、コネクタ５の本体部５０に対し上方から当接する。この当接により、コネクタ５の上方への抜けが阻止されている。
【００４２】
以上、本発明の一実施例を説明したが、これはあくまでも例示にすぎず、本発明はこれに限定されるものではなく、特許請求の範囲の趣旨を逸脱しない限りにおいて、当業者の知識に基づいて、追加及び省略等の種々の変更が可能である。
【００４３】
以下、上記実施例とは異なる別の実施例や変形例について説明する。なお、上記実施例と共通の機能を有する部位には同一符号を付して詳細な説明を省略する。また、上記実施例と下記変形例とは、技術的な矛盾を生じない範囲において適宜組み合わせて実施できる。
【００４４】
図１３〜図１８は、上記実施例の変形例である。コネクタ収容部１１については共通の構造を有しており、コネクタ５の下側カバー３への係合固定や、上側カバー２と下側カバー３との係合組み付けについては、共通の構造によりなされる。異なる点は、配線収容部１２が屈曲形状をなす点である。
【符号の説明】
【００４５】
１  コネクタカバー
２  上側カバー
２７  解除操作用開口部
３  下側カバー
３５  カバー側係合部
５  コネクタ
５８  抜け止め係合部
５７  解除操作部
５９  端子部
６  配線部材
６Ａ  コネクタ側端部
９  コネクタの接続相手
【図１】
0006514053.tif 000002
【図２】
0006514053.tif 000003
【図３Ａ】
0006514053.tif 000004
【図３Ｂ】
0006514053.tif 000005
【図４Ａ】
0006514053.tif 000006
【図４Ｂ】
0006514053.tif 000007
【図５Ａ】
0006514053.tif 000008
【図５Ｂ】
0006514053.tif 000009
【図６Ａ】
0006514053.tif 000010
【図６Ｂ】
0006514053.tif 000011
【図７】
0006514053.tif 000012
【図８Ａ】
0006514053.tif 000013
【図８Ｂ】
0006514053.tif 000014
【図９Ａ】
0006514053.tif 000015
【図９Ｂ】
0006514053.tif 000016
【図１０】
0006514053.tif 000017
【図１１】
0006514053.tif 000018
【図１２Ａ】
0006514053.tif 000019
【図１２Ｂ】
0006514053.tif 000020
【図１３】
0006514053.tif 000021
【図１４】
0006514053.tif 000022
【図１５Ａ】
0006514053.tif 000023
【図１５Ｂ】
0006514053.tif 000024
【図１６Ａ】
0006514053.tif 000025
【図１６Ｂ】
0006514053.tif 000026
【図１７Ａ】
0006514053.tif 000027
【図１７Ｂ】
0006514053.tif 000028
【図１８Ａ】
0006514053.tif 000029
【図１８Ｂ】
0006514053.tif 000030